(57)【要約】【課題】映像の効率的な検索を可能とする映像再生装置および映像再生方法を提供する。【解決手段】選択される映像に対する蓄積される他の映像それぞれの関連度を算出し、算出された関連度に基づいて、映像の表示を制御する。【選択図】図１
2007096686.tif 000002
【特許請求の範囲】
【請求項１】
複数の映像を蓄積する映像蓄積部と、
前記蓄積される複数の映像から映像を選択する画像選択部と、
前記選択される映像に対する前記蓄積される他の映像それぞれの関連度を算出する関連度算出部と、
前記算出された関連度に基づいて、映像の表示を制御する表示制御部と、
を具備することを特徴とする映像再生装置。
【請求項２】
前記算出された関連度に基づいて、前記表示制御部が映像の表示の大きさまたは透明度を制御する
ことを特徴とする請求項１記載の映像再生装置。
【請求項３】
映像の内容に対応する指標要素に基づいて、前記関連度算出部が映像の関連度を算出する
ことを特徴とする請求項１記載の映像再生装置。
【請求項４】
前記指標要素が、映像の放送時間、映像内の登場人物、映像の場所、映像のカテゴリ、映像の放送チャンネルの少なくともいずれかに基づく、
ことを特徴とする請求項３記載の映像再生装置。
【請求項５】
前記指標要素に基づいて、前記表示制御部が映像の配置を制御する
ことを特徴とする請求項３記載の映像再生装置。
【請求項６】
映像蓄積部に蓄積される複数の映像から映像を選択するステップと、
前記選択される映像に対する前記蓄積される他の映像それぞれの関連度を算出するステップと、
前記算出された関連度に基づいて、映像の表示を制御するステップと、
を具備することを特徴とする映像再生方法。
【発明の詳細な説明】
【技術分野】
【０００１】
本発明は、蓄積した映像を再生する映像再生装置および映像再生方法に関する。
【背景技術】
【０００２】
ハードディスク等の記憶装置に映像を蓄積し、これを再生する映像再生装置が用いられている。
ここで、選択された画像の付随情報と同じ付随情報を有する画像を検索することで、画像の検索を容易にする技術が公開されている（特許文献１参照）。
【特許文献１】特開２００４−１３４８７２公報
【発明の開示】
【発明が解決しようとする課題】
【０００３】
しかしながら、この手法では付随情報が不一致であれば映像が検索されないことから、効率的な検索が困難な場合があり得る。
上記に鑑み、本発明は映像の効率的な検索を可能とする映像再生装置および映像再生方法を提供することを目的とする。
【課題を解決するための手段】
【０００４】
本発明に係る映像再生装置は、複数の映像を蓄積する映像蓄積部と、前記蓄積される複数の映像から映像を選択する画像選択部と、前記選択される映像に対する前記蓄積される他の映像それぞれの関連度を算出する関連度算出部と、前記算出された関連度に基づいて、映像の表示を制御する表示制御部と、を具備することを特徴とする。
【０００５】
本発明に係る映像再生方法は、映像蓄積部に蓄積される複数の映像から映像を選択するステップと、前記選択される映像に対する前記蓄積される他の映像それぞれの関連度を算出するステップと、前記算出された関連度に基づいて、映像の表示を制御するステップと、を具備することを特徴とする。
【発明の効果】
【０００６】
本発明によれば、映像の効率的な検索を可能とする映像再生装置および映像再生方法を提供できる。
【発明を実施するための最良の形態】
【０００７】
以下、図面を参照して、本発明の実施の形態を詳細に説明する。
（第1の実施形態）
図１は、本発明の第1の実施形態に係る映像再生装置１００の構成を示すブロック図である。
同図に示すように、映像再生装置１００は、ＣＰＵ（Central Processing Unit)１０１、メインメモリ１０２、記憶装置１０３、入力装置１０４，システムバス１０５，チューナ１１１、エンコーダ１１２、およびデコーダ１１３を備える。
【０００８】
ＣＰＵ１０１は、映像再生装置１００全体を制御するものであり、映像それぞれの関連度を算出する関連度算出部および映像の表示を制御する表示制御部として機能する。
メインメモリ１０２は、例えば、半導体メモリからなり、ＣＰＵ１０１の作業領域として用いられる。
【０００９】
記憶装置１０３は、例えば、ＨＤＤ（Hard Disk Drive（ハードディスク装置、磁気記憶装置）)であり、プログラムやデータが読み書きされ、複数の映像を蓄積する映像蓄積部として機能する。複数の映像Ｐｉおよびそれら映像Ｐｉそれぞれでの関連性要素Ｎｋ（ｉ）が記録される。なお、関連性要素Ｎｋ（ｉ）の詳細は後述する。
入力装置１０４は、例えば、キーボード、リモコンであり、ユーザにより情報が入力され、複数の映像から映像を選択する画像選択部として機能する。
【００１０】
チューナ１１１、放送信号を受信し、放送チャンネルを選択して出力する。
エンコーダ１１２は、チューナ１１１から出力される放送信号をＭＰＥＧ（Moving Picture Experts Group）２等の圧縮符号化データに符号化する。エンコーダ１１２によって符号化されたデータは、ＣＰＵ１０１の制御により、システムバス１０５を介してメインメモリ１０２に蓄積され、ブロック単位にまとめられて記憶装置１０３に記憶される。
デコーダ１１３は、記憶装置１０３から読み出された圧縮符号化データをモニタ１２０で表示可能な形式のデータに復号する。
【００１１】
図２は、映像再生装置１００の動作手順の概略を表すフロー図である。
（１）画像の選択（ステップＳ１１）
記憶装置１０３に蓄積された複数の映像から画像を選択する。
この選択は入力装置１０４からの入力に基づく。例えば、記憶装置１０３に蓄積された映像Ｐ１〜Ｐｎから映像Ｐ１が選択される。
【００１２】
（２）映像の関連度Ｒ（ｉ，ｊ）の算出（ステップＳ１２）
選択された映像Ｐｉに対する他の映像Ｐｊそれぞれの関連度Ｒ（ｉ，ｊ）が算出される。例えば、映像Ｐ１に対する他の映像Ｐ２〜Ｐｎの関連度Ｒ（１，２）〜Ｒ（１，ｎ）が算出される。
関連度Ｒ（ｉ，ｊ）は、基準とする映像ｉに対する比較対象の映像Ｐｊの関連の度合いを表す指標である。関連度Ｒ（ｉ，ｊ）の大きさによって、映像間の関連性の大きさを判別することができる。
この関連度Ｒ（ｉ，ｊ）は、関連性要素Ｎｋ（ｉ，ｊ）から算出することができる。
【００１３】
関連性要素Ｎｋ（ｉ，ｊ）は、映像Ｐｉ，Ｐｊ間の関連性を表す要素であり、映像Ｐｉ，Ｐｊの内容（放送時間、登場人物、場所、カテゴリ、放送チャンネル）などに基づく。例えば、関連性要素Ｎ１（ｉ，ｊ）〜Ｎ５（ｉ，ｊ）をそれぞれ次のように決めることができる。
【００１４】
関連性要素Ｎ１（ｉ，ｊ）：放送時間に基づく関連性の要素である。放送時間の重なりが大きければ関連性要素Ｎ１（ｉ，ｊ）は増大して１に近づき、放送時間の重なりが無ければ関連性要素Ｎ１（ｉ，ｊ）は０となる。
関連性要素Ｎ２（ｉ，ｊ）：番組の登場人物に基づく関連性の要素である。登場人物（俳優、司会者等）の重なりが大きければ関連性要素Ｎ２（ｉ，ｊ）は増大して１に近づき、登場人物の重なりが無ければ関連性要素Ｎ２（ｉ，ｊ）は０となる。
【００１５】
関連性要素Ｎ３（ｉ，ｊ）：番組の場所に基づく関連性の要素である。場所が近ければ関連性要素Ｎ３（ｉ，ｊ）は増大して１に近づき、場所が遠ければ関連性要素Ｎ３（ｉ，ｊ）は０に近づく。
関連性要素Ｎ４（ｉ，ｊ）：番組のカテゴリ（例えば、ニュース、ドラマ、音楽、バラエティ）に基づく関連性の要素である。カテゴリが一致すれ関連性要素Ｎ４（ｉ，ｊ）は１となり、カテゴリが一致しなければ関連性要素Ｎ４（ｉ，ｊ）は０となる。
関連性要素Ｎ５（ｉ，ｊ）：番組の放送チャンネルに基づく関連性の要素である。放送チャンネルが一致すれば関連性要素Ｎ５（ｉ，ｊ）は１となり、放送チャンネルが一致しなければ関連性要素Ｎ５（ｉ，ｊ）は０となる。
【００１６】
以上の例では、関連性要素Ｎｋ（ｉ，ｊ）のｋの最大値（要素の個数）を５としている。しかし、関連性要素Ｎｋ（ｉ，ｊ）の個数ｋを、５つには限る必要はない。例えば、表示される映像の平均的な色に基づいて、関連性要素Ｎｋ（ｉ，ｊ）を決定することも可能である。必要に応じて適宜に関連性要素Ｎｋ（ｉ，ｊ）を決めることが可能である。
【００１７】
関連性要素Ｎｋ（ｉ，ｊ）の情報は種々の手段で入手することができる。例えば、放送信号に含まれるＥＰＧ（Electronic Program Guide)の情報を利用することができる。また、入力装置１０４によって、ユーザが関連性要素Ｎｋ（ｉ，ｊ）を入力してもよい。
【００１８】
関連度Ｒ（ｉ，ｊ）は、関連性要素Ｎｋ（ｉ，ｊ）から、例えば、次の式（１）を用いて、算出することができる。
Ｒ（ｉ，ｊ）＝Σｋ＝１ｋ＝Ｍ（Ｎｋ（ｉ，ｊ））／Ｍ        ……式（１）
ここで、Ｍ：関連性要素Ｎｋ（ｉ，ｊ）の要素の個数である。
但し、関連性要素Ｎｋ（ｉ，ｊ）からの関連度Ｒ（ｉ，ｊ）の算出方法はこの式（１）に限られない。関連性要素Ｎｋ（ｉ，ｊ）およびこれからの関連度Ｒ（ｉ，ｊ）の算出方法は、必要に応じて適宜に定義することが可能である。
【００１９】
（３）関連度Ｒ（ｉ，ｊ）に基づく映像群の選別（ステップＳ１３）
算出された関連度Ｒ（ｉ，ｊ）に基づき、選択された映像Ｐｉに関連する映像を蓄積されている映像Ｐ１〜Ｐｎの中から選別する。例えば、蓄積された映像Ｐ１〜Ｐｎから映像Ｐｆ〜Ｐｇが選別される。
具体的には、関連度Ｒ（ｉ，ｊ）が所定の基準値以上の映像を選択する。関連度が大きい順に所定の個数の映像を選択してもよい。また、関連度Ｒ（ｉ，ｊ）の基準値および映像の個数の双方に基づいて映像を選択することも可能である。具体的には、関連度Ｒ（ｉ，ｊ）が基準値以上の映像を所定の個数を超えない範囲で選択する。
【００２０】
（４）関連度Ｒに基づく映像群の表示（ステップＳ１４）
関連度Ｒに基づいて選別された映像群が表示される。
図３は、モニタ１２０上に表示される映像群の一例を表す模式図である。
図３では、ステップＳ１１で選択された映像Ｐ００１を中心として、選別された映像群Ｐ００２〜Ｐ００７がその周囲に表示されている。映像Ｐ００１〜Ｐ００７は動画として再生された状態とすることができる。映像群Ｐ００２〜Ｐ００７は、映像Ｐ００１に比してやや小さい大きさで表示されている。
【００２１】
その後、ステップＳ１１に戻って、画像を再度選択して、再表示させることができる（ステップＳ１２〜Ｓ１４）。
図４は、モニタ１２０上に再表示される映像群の一例を表す模式図である。
ここでは、映像再生装置１００の使用者（ユーザ）が先に選択された映像Ｐ００１に関連した映像として映像Ｐ００２を選択したとしている。蓄積されている映像の中から、映像Ｐ００２に関連した映像群Ｐ００１，Ｐ００８〜Ｐ０１１が選別されている。
以上のように、ステップＳ１１で映像再生装置１００の使用者が映像を選択すると、ステップＳ１２〜Ｓ１４が実行され、使用者による対話的な映像選択が可能となる。
【００２２】
図５は、図１のステップＳ１４の詳細を表すフロー図である。
（１）関連度Ｒ（ｉ，ｊ）に基づく選別映像の区分（ステップＳ２１）
選別された映像群を関連度Ｒ（ｉ，ｊ）に基づき更に区分する。関連度Ｒ（ｉ，ｊ）に対応して映像の表示状態（映像の配置、表示領域の大きさ、表示の透明度等）を変化させるためである。例えば、選別された映像群が、関連度区分ＳＲ１〜ＳＲ３に区分される。
具体的には、次のように映像を区分できる。
１）例えば、関連度Ｒの値の同一、非同一に基づき、映像を区分できる。関連映像には関連度Ｒが同一のものが含まれる可能性がある。この場合、区分の個数は、関連度Ｒの値の個数に対応する。
２）また、関連度Ｒ（ｉ，ｊ）の最大値、最小値の間を複数の等間隔の領域で区分しても差し支えない。この場合、区分の個数は予め定めておけばよい。
【００２３】
以上のようにして、選別された映像Ｐｊが区分され、映像Ｐｊそれぞれに１の関連度区分ＳＲｋが対応付けられる。また、関連度区分ＳＲｋの個数も規定される。
【００２４】
（２）関連性要素Ｎｋ（ｉ，ｊ）に基づく選別映像の区分（ステップＳ２２）
選別された映像群を関連性要素Ｎｋ（ｉ，ｊ）に基づき更に区分する。関連性要素Ｎｋ（ｉ，ｊ）に対応して映像の表示状態（映像の配置等）を変化させるためである。例えば、選別された映像群が、関連性要素区分ＳＮ１〜ＳＮ４に区分される。
【００２５】
具体的には、その映像で最大の関連性要素Ｎｋ（ｉ，ｊ）に基づき、映像を区分できる。例えば、映像Ｐｊの関連性要素Ｎ１（ｉ，ｊ）〜Ｎ５（ｉ，ｊ）中で関連性要素Ｎ１（ｉ，ｊ）が最大であれば、その映像Ｐｊを関連性要素区分ＳＮ１に分類する。また、映像Ｐｊの関連性要素Ｎ１（ｉ，ｊ）〜Ｎ５（ｉ，ｊ）中で関連性要素Ｎ２（ｉ，ｊ）が最大であれば、その映像Ｐｊを関連性要素区分ＳＮ２に分類する。
【００２６】
ここで、最大の関連性要素Ｎｋ（ｉ，ｊ）が複数存在する場合に対応するため、関連性要素Ｎｋ（ｉ，ｊ）の優先順位を決めておくことが考えられる。即ち、映像Ｐｊの最大の関連性要素Ｎｋ（ｉ，ｊ）が複数存在する場合に、所定の優先順位に従って映像Ｐｊの関連性要素区分ＳＮを決定する。例えば、映像Ｐｊにおいて関連性要素Ｎ１（ｉ，ｊ）、Ｎ２（ｉ，ｊ）がいずれも１となる場合に、優先順位に基づき、関連性要素Ｎ１（ｉ，ｊ）に対応する関連性要素区分ＳＮ１に映像Ｐｊを分類する。
【００２７】
ここで、関連性要素区分ＳＮとして用いられない（どの映像でも最大とならない）関連性要素Ｎｋ（ｉ，ｊ）が存在しうる。このため、いずれの映像で最大とならない関連性要素Ｎｋ（ｉ，ｊ）を抽出し、これを除外して関連性要素区分ＳＮｋを設定し直すことが考えられる。この結果、選択される（基準となる）映像Ｐｊによって、関連性要素区分ＳＮの個数が変化することになる。これは、後の図６，図７に明確に示される。
【００２８】
以上のようにして、選別された映像Ｐｊが区分され、映像Ｐｊそれぞれに１の関連性要素区分ＳＮｋが対応付けられる。また、関連性要素区分ＳＮｋの個数も規定される。
【００２９】
（３）選別された映像群からの映像の選択、表示状態の決定（ステップＳ２３〜Ｓ２４）
選別された映像から映像を選択し、その表示状態を決定する。
その画像の関連度区分ＳＲおよび関連性要素区分ＳＮに基づき、この表示状態が決定される。
【００３０】
関連度区分ＳＲに基づいて、例えば、次のようにその映像の表示の大きさＢが決定される。
Ｂ＝ｋ／Ｎ＊定数                                  ……式（２）
ここで、ｋ：関連度区分ＳＲｋの番号、Ｎ：関連度区分ＳＲの総数である。
【００３１】
関連性要素区分ＳＮｋに基づいて、例えば、次のようにその映像の表示の位置（角度）θが決定される。
θ＝ｋ／（３６０°＊Ｍ）                          ……式（３）
ここで、ｋ：関連性要素区分ＳＮｋの番号、Ｍ：関連性要素区分ＳＮｋの総数である。
この結果、選択された映像Ｐｉに対する関連度Ｒ（ｉ，ｊ）が大きな関連映像Ｐｊは大きく表示される。また、同種の関連性要素Ｎｋ（ｉ，ｊ）に係わる関連映像Ｐｊが同一角度で表示（同一線（軸）上に表示）される。
【００３２】
（４）映像の表示（ステップＳ２５〜Ｓ２６）
ステップＳ２４での決定に基づいて、映像が表示される。そして、選別された全ての映像が表示されるまで、ステップＳ２１〜Ｓ２３が繰り返される。その結果、図３に示したように、選別された映像群がモニタ１２０上に表示される。また、基準となる映像を選択し直すことで、映像群が再選別され、図４に示したように、モニタ１２０上に表示される。
【００３３】
ここで、図４において、映像Ｐ００２の前に選択されていた映像Ｐ００１は、この映像００１が選択表示されていた時点（図３）での映像Ｐ００１と映像Ｐ００２との位置関係に基づき、配置されている。
次のような処理によって、前の選択画像と後の選択画像の表示位置の対応関係を保持することができる。
１）それぞれの選別映像Ｐｊの表示の角度θｊおよび前の選択画像Ｐｉを特定する情報を記憶しておく。
２）図５のステップＳ２４で、新たに選択された映像Ｐｊについての角度θｊに１８０°を足した角度を先の選択映像の表示角度θ０とする。即ち、先の選択画像Ｐｉの属する関連性要素区分ＳＮと表示の角度θとが対応するように、式（３）に補正項が追加される。
θ＝ｋ／（３６０°＊Ｍ）＋α                        ……式（４）
ここで、α＝θ０−θｊ，θｊ：補正前の後の選択映像Ｐｊの表示角度（＝ｊ／（３６０°＊Ｍ））である。
【００３４】
以下、本実施形態でのメリットを説明する。
映像再生装置においては、装置の使用者が蓄積された大量の映像を検索する場合、一般に、使用者が明示的にフォルダ分け等して分類している。
しかし、目的の映像を容易に見つけようとすると、細かく、かつ適切に作成されたフォルダそれぞれに映像を割り振る必要があった。この方法だと、映像が蓄積されるにつれて使用者にかかる負担が激増する。
本実施形態では、装置の使用者は明示的なフォルダ分けをする必要はなくなり、より容易に目的の映像を探し出すことが可能になる。
【００３５】
（第２の実施形態）
以下、本発明の第２の実施の形態を説明する。
本実施形態に係る映像再生装置１００ａは第1の実施形態と同様に図１で表される。また、この映像再生装置１００ａの動作手順も図２、図５で表される。
本実施形態では、関連性要素区分ＳＮｉに対応する軸ＡＸｉが表示される。即ち、式（３）、式（４）に示される角度θの軸ＡＸｉが表示される。軸ＡＸｉによって、映像間の関連性をより明瞭に示すことができる。
【００３６】
図６は、図３と対応し、モニタ１２０上に表示される映像群の一例を表す模式図である。
図６では、映像Ｐ１０１が選択され、蓄積された映像の中から、それに関連する映像Ｐ１０２〜Ｐ１０７が選別されている。ここで、映像Ｐ１０２と映像Ｐ１０５は、同じ関連性要素区分に属する。映像Ｐ１０３と映像Ｐ１０６、映像Ｐ１０４と映像Ｐ１０７についても同様とする。
軸ＡＸ１０１が表示され、その上に映像Ｐ１０２と映像Ｐ１０５が配置される。映像Ｐ１０２と映像Ｐ１０５が、同一の基準によって選ばれていることを装置の使用者が容易に理解できる。
軸ＡＸ１０２上に映像Ｐ１０３と映像Ｐ１０６が、軸ＡＸ１０３上に映像Ｐ１０４と映像Ｐ１０７が配置される。
ここで、軸ＡＸ１０１〜ＡＸ１０３はそれぞれ、関連性要素Ｎ１（ｉ，ｊ）〜Ｎ３（ｉ，ｊ）に対応するものとする。
【００３７】
図７は、図４と対応し、モニタ１２０上に再表示される映像群の一例を表す模式図である。
図７では、映像Ｐ１０１に関連した映像である映像Ｐ１０２が選択され、蓄積された映像の中から、それに関連する映像Ｐ１０１，Ｐ１０８〜Ｐ１１０が選別されている。選択された映像Ｐ１０２を中心に大きく表示され、映像Ｐ１０１，映像Ｐ１０８〜Ｐ１１０がその周囲に配置される。
【００３８】
ここで、映像Ｐ１０１と映像Ｐ１０８、映像Ｐ１０９と映像Ｐ１１０は同一の関連性の基準によって選ばれ、それぞれを軸ＡＸ１０１、軸ＡＸ１０４上に配置し、表示される。これら軸ＡＸ１０１、ＡＸ１０４はそれぞれ、関連性要素Ｎ１（ｉ，ｊ）、Ｎ４（ｉ，ｊ）に対応するものとする。
この例からも分かるように、選ばれた映像Ｐｉに関連する映像Ｐｊに基づく関連性要素区分ＳＮｋの個数によって、軸ＡＸの本数が動的に変化し得る。
【００３９】
本実施形態は、第１の実施形態と比較して、映像間の関連の仕方の判別がより明瞭となり、装置の使用者が目的の映像を探し出すことがさらに容易となる。
【００４０】
（第３の実施形態）
以下、本発明の第３の実施の形態を説明する。
本実施形態に係る映像再生装置１００ｂは第1の実施形態と同様に図１で表される。
図８は、映像再生装置１００ｂの動作手順の概略を表すフロー図である。
本図は実質的に図２と同様であるが、ステップＳ３１において、複数の映像が表示され、表示されている映像から映像が選択される。
【００４１】
図９は、ステップＳ３１でモニタ１２０上に表示される映像を表す。複数の映像がマトリクス状に表示され、例えば、映像Ｐ２０１が選択されたとする。
選択された映像を基準として、表示されている複数の映像について映像の関連度Ｒ（ｉ，ｊ）が算出される（ステップＳ３２）。選択された映像に関連する映像群が選別され（ステップＳ３３）、その表示が変更される（ステップＳ３４）。
【００４２】
図１０は、本実施形態におけるステップＳ１４の詳細を表すフロー図である。
図１０では、図５のステップＳ２２に対応するステップが存在しない。また、ステップＳ２５での映像の表示に換えて、映像の表示が変更される。
ステップＳ４４での映像の表示状態としてその透明度（コントラストの大小）を用いることができる。例えば、関連度が高いものについて透明度を下げ（コントラストを大きくする）、関連が低いものについて透明度を上げる（コントラストを小さくする）ことができる。
その結果、映像の関連度に応じて、映像を鮮明、あるいは茫漠と表示するように表示状態が変更される（ステップＳ４５）。
【００４３】
図１１は、ステップＳ４５でモニタ１２０上に表示される映像を表す。選択された映像Ｐ２０１に基づき選別された映像Ｐ２１１〜Ｐ２１４，Ｐ２２１〜Ｐ２２３，Ｐ２３１〜２３４、および選別されない映像がマトリクス状に表示される。ここで、選択された映像Ｐ２０１以外の映像は、映像Ｐ２１１〜Ｐ２１４，Ｐ２２１〜Ｐ２２３，Ｐ２３１〜２３４、および選別されない他の映像の５つに区分される。これらの区分に対応して、それぞれの映像は、選択された映像Ｐ２０１の透明度Ｃ２０より、段階的に大きな透明度Ｃ２１〜Ｃ２４で表示されている。
【００４４】
本発明の第１，第２の実施形態では、現在選択されている映像に関連する映像のみを表示していた。これに対し、本実施形態では、関連度の低い映像も同時に表示することにより、装置の使用者により幅広い選択肢を与えることができる。
【００４５】
（その他の実施形態）
本発明の実施形態は上記の実施形態に限られず拡張、変更可能であり、拡張、変更した実施形態も本発明の技術的範囲に含まれる。
【図面の簡単な説明】
【００４６】
【図１】本発明の第1の実施形態に係る映像再生装置の構成を示すブロック図である。
【図２】第1の実施形態に係る映像再生装置の動作手順の概略を表すフロー図である。
【図３】第1の実施形態に係る映像再生装置のモニタ上に表示される映像群の一例を表す模式図である。
【図４】第1の実施形態に係る映像再生装置のモニタ上に再表示される映像群の一例を表す模式図である。
【図５】図１のステップＳ１４の詳細を表すフロー図である。
【図６】第２の実施形態に係る映像再生装置のモニタ上に表示される映像群の一例を表す模式図である。
【図７】第２の実施形態に係る映像再生装置のモニタ上に再表示される映像群の一例を表す模式図である。
【図８】第３の実施形態に係る映像再生装置の動作手順の概略を表すフロー図である。
【図９】図１のステップＳ３４の詳細を表すフロー図である。
【図１０】第３の実施形態に係る映像再生装置のモニタ上に表示される映像群の一例を表す模式図である。
【図１１】第３の実施形態に係る映像再生装置のモニタ上に表示される映像群の一例を表す模式図である。
【符号の説明】
【００４７】
１００…映像再生装置、１０１…ＣＰＵ、１０２…メインメモリ、１０３…記憶装置、１０４…入力装置、１０５…システムバス、１１１…チューナ、１１２…エンコーダ、１１３…デコーダ、１２０…モニタ
【図１】
2007096686.tif 000003
【図２】
2007096686.tif 000004
【図３】
2007096686.tif 000005
【図４】
2007096686.tif 000006
【図５】
2007096686.tif 000007
【図６】
2007096686.tif 000008
【図７】
2007096686.tif 000009
【図８】
2007096686.tif 000010
【図９】
2007096686.tif 000011
【図１０】
2007096686.tif 000012
【図１１】
2007096686.tif 000013